(57)【要約】      （修正有）【課題】ランドセルで最も傷みの激しい背板のリブ部を補強し、リブ部のコーナー部分への取付け作業が容易で、強度性と耐久性を有する保護部片を取付けることにより長期間使用することのできるランドセルを提供する。【解決手段】背板３、大リブ部１１、小リブ部１２および蓋板１３などからなるランドセル本体２と、前記背板３の上端中央に取付けた背環１５に一端を連結した背負ベルト１６とからなるランドセル１において、軟質合成樹脂材により断面Ｕ字形に形成した補強芯材と、天然皮革、人工皮革または布材などの帯状の表皮地とからなる可撓性と弾発力を有する保護部片２０を、前記背板３の周縁に設けたリブ部８に嵌合し、該リブ部と前記保護部片２０とを縫着固定してなることを特徴とする。【選択図】図１
0003144066.tif 000002
【実用新案登録請求の範囲】
【請求項１】
背板（３）と略コ字型をした大リブ部（１１）及び小リブ部（１２）と蓋板（１３）とからなるランドセル本体（２）と前記背板（３）の正面上端中央に取付けた背環（１５）に一端を連結した一対の背負ベルト（１６）とからなるランドセル（１）において、
断面Ｕ字形に形成した軟質合成樹脂材製の補強芯材（２１）の外側に帯状の軟質素材からなる表皮地（２７）を接着固定して一体に形成してなる可撓性及び弾発力を有した保護部片（２０）を、前記背板（３）の周縁に設けたリブ部（８）の下辺部及びその両端に連続した立上部の外側から嵌合させて該リブ部に前記保護部片（２０）を固定してなることを特徴とするランドセル。
【請求項２】
前記保護部片（２０）は、補強芯材（２１）を前記背板（３）のリブ部（８）の外側形状に合わせて溝部（２４）を形成し、該補強芯材の外面全体に天然皮革、人工皮革、布材などの軟質素材からなる表皮地（２７）を接着させると共に、該表皮地の両端を前記補強芯材（２１）の立上がり部（２３）の上端より上方に延伸させた糊代部（２８、２８）を一体に設けてなることを特徴とする請求項１記載のランドセル。
【請求項３】
前記保護部片（２０）の補強芯材（２１）が、上面を開口して断面Ｕ字形に形成した第2の溝部（２５）の両側面をそれぞれ内方向にやや湾曲させて弾発力と可撓性を設けて形成したことを特徴とする請求項１または２記載のランドセル。
【請求項４】
前記保護部片（２０）は、表皮地（２７）の表面に前記背板（３）のリブ部（８）の下辺部及びその両端に連続した立上部に取付けた縁帯地（９）と同色または光に反射する反射材を塗布または織り込んで形成したことを特徴とする請求項１ないし３のいずれか１記載のランドセル。
【請求項５】
背板（３）と略コ字型をした大リブ部（１１）及び小リブ部（１２）と蓋板（１３）とからなるランドセル本体（２）と前記背板（３）の正面上端中央に取付けた背環（１５）に一端を連結した一対の背負ベルト（１６）とからなるランドセル（１）において、軟質合成樹脂材により上面を開口して断面Ｕ字形の溝部（２４）を有した補強芯材（２１）の外面に、同色または光に反射する反射材を表面に塗布または織り込んで形成した天然皮革や人工皮革布や布材などの軟質素材からなる表皮地（２７）を接着し、該表皮地の両端に設けた糊代部（２８）を前記補強芯材（２１）の上端より上方に延長して形成した弾発力及び可撓性を有する保護部片（２０）を、前記背板（３）のリブ部（８）の下辺部及びその両端に連続した立上部に嵌合させると共に、該リブ部に前記保護部片（２０）を一体に縫着固定してなることを特徴とするランドセル。
【考案の詳細な説明】
【技術分野】
【０００１】
本考案は、背板のリブ部を補強した学童用ランドセルの改良に関する。
【背景技術】
【０００２】
従来、学童用ランドセルは、体力のない小さな小学１年生から成長著しい大きな６年生までの６年間という長い期間使用できるようにさまざまな工夫がなされており、特に、背板の周縁リブ部は、ランドセルの背負い降ろしをするたびに机や床の上などあらゆるところに接触し、且つ、学童はランドセルの取り扱いが乱暴であるため、周縁リブ部、特に下辺部及びその両端に連続した立上部部分の接着部分や縫着部分が傷ついたり擦り切れたりして損傷しやすかった。
【０００３】
そのため、背板のリブ部（特に下辺両角部分）には補強用のカバー片を縫着して保護した構成を具えたランドセルが知られている。
【特許文献１】実開昭６３−５４３１７号
【特許文献２】特開２００５−１２４８１６号
【０００４】
これら補強用のカバー片のうち、前者のランドセルに取付けた補強片（保護革）は、背板のリブ部（ヘリ）に縫着した補強用のカバー片の表面に、さらに共革なる保護革を被せて二重に縫着して形成したものである。しかし、背板のリブ部に補強用のカバー片を被って取付けた程度では、長期間（６年間）の使用に耐えることは困難である。
【０００５】
さらに、それぞれ帯状に形成したカバー片と保護革とを重ねて縫着する場合、両角部分には必然的に大きな折れじわができる。この折れじわ部分の皮革材は、元の形状に戻ろうとする反発力が生じるため折れじわの始末が困難であり、作業性が劣化するという欠点があった。そのため、折れじわを目立たなくするように縫製する作業には熟練した技術が必要である。また、この折れじわは外見上見映えが悪く、且つ、該折れじわ部分にほこりが溜まりやすいなどの問題点を有していた。
【０００６】
後者の発明は、背板縁部の角部にできた折れじわの見映えを良くするためのカバー片で、該カバー片はリブ部の背中側の片側縁にだけを保護して縫着して形成してある。したがって、反対側縁部である外側部分（半背中側）のリブ部の表面は、補強用の縁帯地が露出したままである。このように、一番強度が必要なリブ部の底面部分は縁帯地だけで保護されているため、リブ部の底面部分は早く擦り切れたり、剥がれやすいために、長期間リブ部を保護することが困難であるなど多くの問題点を有している。
【考案の開示】
【考案が解決しようとする課題】
【０００７】
本考案が解決しようとする課題は、ランドセルで最も傷みの激しい背板のリブ部を補強するだけでなく、リブ部のコーナー部分への取付け作業が容易で、強度性と耐久性を有する保護部片を取付けることにより長期間使用することのできるランドセルを提供することを目的とするものである。
【課題を解決するための手段】
【０００８】
上記課題を達成するために請求項１の考案は、背板３と略コ字型をした大リブ部１１及び小リブ部１２と蓋板１３とからなるランドセル本体２と前記背板３の正面上端中央に取付けた背環１５に一端を連結した一対の背負ベルト１６とからなるランドセル１において、断面Ｕ字形に形成した軟質合成樹脂材製の補強芯材２１の外側に帯状の軟質素材からなる表皮地２７を接着固定して一体に形成してなる可撓性及び弾発力を有した保護部片２０を、前記背板３の周縁に設けたリブ部８の下辺部及びその両端に連続した立上部に外側から嵌合させて該リブ部に前記保護部片２０を固定してなることを特徴とする。また、前記保護部片２０は、補強芯材２１を前記背板３のリブ部８の外側形状に合わせて溝部２４を形成し、該補強芯材の外面全体に天然皮革、人工皮革、布材などの軟質素材からなる表皮地２７を接着させると共に、該表皮地の両端を前記補強芯材２１の立上がり部２３の上端より上方に延伸させた糊代部２８、２８を一体に設けてなることを特徴とする。さらに前記保護部片２０の補強芯材２１が、上面を開口して断面Ｕ字形に形成した第2の溝部２５の両側面をそれぞれ内方向にやや湾曲させて弾発力と可撓性を設けて形成したことを特徴とする。さらにまた前記保護部片２０は、表皮地２７の表面に前記背板３のリブ部８の下辺部及びその両端に連続した立上部に取付けた縁帯地９と同色または光に反射する反射材を塗布または織り込んで形成したことを特徴とする。
【０００９】
したがって、断面U字型に形成して弾力性を具有させた軟質の合成樹脂性の補強芯材２１の外周面に天然皮革や人工皮革や布材などからなる軟質素材からなる表皮地２７を接着して弾発力と可撓性を有した保護部片２０は、背板３のリブ部８への取付け縫着作業が容易で、且つ、リブ部８を縁帯地９の他、合成樹脂材により形成した補強芯材２１と、皮製の表皮地２７とからなる保護部片２０で三重に覆うことにより、ランドセルの重量を増大させることなくリブ部８の強度性と耐久性を一段と高めることができ、ランドセルを長期間使用することが可能である。
【００１０】
請求項５の考案は、さらに背板３と略コ字型をした大リブ部１１及び小リブ部１２と蓋板１３とからなるランドセル本体２と前記背板３の正面上端中央に取付けた背環１５に一端を連結した一対の背負ベルト１６とからなるランドセル１において、軟質合成樹脂材により上面を開口して断面Ｕ字形の溝部２４を有した補強芯材２１の外面に、同色または光に反射する反射材を表面に塗布または織り込んで形成した天然皮革や人工皮革布や布材などの軟質素材からなる表皮地２７を接着し、該表皮地の両端に設けた糊代部２８を前記補強芯材２１の上端より上方に延長して形成した弾発力及び可撓性を有する保護部片２０を、前記背板３のリブ部８の下辺部及びその両端に連続した立上部に嵌合させると共に、該リブ部に前記保護部片２０を一体に縫着固定してなることを特徴とする。
【００１１】
したがって、断面U字型に形成した合成樹脂性の補強芯材２１の外周面に皮革または人工皮革からなる軟質素材の表皮地２７を接着して形成した保護部片２０を、背板３のリブ部８の下辺部及びその両端に連続した立上部に簡単に嵌合させて縫着することにより、リブ部８を三重に覆って強度性と耐久性を持たせることができ、且つ、この保護部片２０の表面に施した反射材が夜間における車両のライトに反射するため学童を交通事故から守ることができる。
【考案を実施するための最良の形態】
【００１２】
本考案の実施の形態を図面に基づいて説明すると、図１は本考案にかかる保護部片を取付けたランドセルの斜視図、図２は図１のＡ―Ａ線拡大断面図、図３は保護部片を縫着したリブ部の拡大断面図、図４は保護部片の分解斜視図、図５は型枠の斜視図、図６は保護部片の中央縦断面図、図７は溝部両側を湾曲させた保護部片の中央縦断面図、図８はリブ部全体に保護部片を取付けた背板の正面図である。ランドセル１は、ランドセル本体２を構成する背板３と、コ字型に形成した大リブ部１１および小リブ部１２と、蓋板１３と、前記背板３の上部中央に取付けた背環１５に一端を連結した一対の背負ベルト１６とにより構成されている。２０はランドセルの背板３の周縁リブ部８に取付けた保護部片２０である。
【００１３】
前記ランドセル１の背板３は、図２に示すごとく、中芯４の表面（背中側）にクッション地５を介して表地６を貼り、裏面には裏地７を貼着し、前記中芯４の周縁に設けたリブ部８に、接着部分や縫着部分が傷ついたり擦り切れたりして損傷するのを防止する縁帯地９を外側から被せて縫着して固定することにより補強している。
【００１４】
前記保護部片２０は、軟質合成樹脂材、例えば、熱可塑性樹脂のポリプロピレン樹脂やポリエチレン樹脂などにより形成した補強芯材２１と、該補強芯材の外周面全体に天然皮革、人工皮革または布材などの軟質素材により形成した表皮地２７を一体に接着して全体に可撓性と弾発力をもたせてある。
【００１５】
前記補強芯材２１は、図４、６に示す如く、前記背板３の下辺部及びその両端に連続した立上部の下方部分に位置するリブ部８に合わせて下辺部２２と両垂直部２３、２３の下側部分を連続して略コ字型に一体に形成し、全体を軟質合成樹脂材で厚さ０．２〜０．８ｍｍ、好ましくは０．５ｍｍの断面Ｕ字形で上面を開口させた溝部２４を設けてある。この補強芯材２１は、軟質合成樹脂材を射出成形により一体に形成ことにより定型性と柔軟性を有し、また、コーナー部分の表面にしわができないように略平面状に形成することができる。
【００１６】
さらに補強芯材２１の溝部を、図７に示すごとく、溝部２５の両側を内側に湾曲させて可撓性と弾発力を持たせてあることにより、保護部片２０をリブ部８に嵌合させたとき、前記溝部２５の保持力が強固にすることができるため、その後の縫製作業において、保護部片２０がリブ部８からずれたり外れるのを防止して縫着作業ができるので、縫着作業の確実性および作業能率を向上させることができる。
【００１７】
図４に示すごとく、前記補強芯材２１の外側全面に公知の接着剤、例えばホットメルトなどにより接着させる前記表皮地２７は、その長さ方向の先端部分を前記補強芯材２１の立上部２３の先端より上方に伸延させて糊代部２８を一体に形成してある。前記表皮地２７の両端には、内面に補強芯材２１を有せず、しかも両側部分を外側に開いた状態に設けることにより、リブ部８に略コ字型をした保護部片２０を嵌合させて取付ける作業を容易にすることができるようにして組立作業を容易にできるようにしている。
【００１８】
保護部片２０は、補強芯材２１の外周面に前記表皮地２７を接着して一体に形成したことにより、前記背板３のリブ部８にそれぞれ個別に取付ける手間を省き、しかも、リブ部と保護部片２０を一回縫製するだけの簡単な作業で取付けることができる。そのため、従来のごとく、リブ部８の両面に接着剤を塗布した後、縁帯地９をＵ字形に折り曲げて圧着させながら接着し、コーナー部分に生じやすい折れしわを畳みながら始末してそれぞれ接着させ、次いで、縁帯地９をリブ部８と一体に縫着するなど、手間ひまがかかって効率の悪い作業を防止できる。
【００１９】
さらに、補強芯材２１の外面に表皮地２７を接着させる際、図５に示すごとく、あらかじめ背板３の下方部分のリブ部８の形状に合わせて形成した型枠３０を使用して接着させることができる。この型枠３０は、全体を前記補強芯材２１と相似形の断面コ字形で上面を開口して形成してある。
【００２０】
前記型枠３０内に表皮地２７を収容し、外面に接着剤を塗布した補強芯材２１を表皮地２７の内面に嵌め合わせて圧着させた保護部片２０を、前記表皮地２７が補強芯材２１と型枠３０とに挟まれた状態になるため、表皮地２７の折れしわがプレスしたように保形され、表皮地２７の表面側に折れしわが目立つことなくきれいに形成することができる。
【００２１】
補強芯材２１と表皮地２７を接着して略一体状に形成した保護部片２０をそのまま型枠３０内に収容した状態で維持し、背板３のリブ部８に保護部片２０を取付ける直前に型枠３０内から取り出してリブ部８に装着することにより、保護部片２０が型崩れすることなく簡単に装着させ、ついで、縫着固定して取付けることができる。
【００２２】
前記保護部片２０の表皮地２７の表面に施す色は自由に着色可能であるが、通常、背板３のリブ部８の取付けた縁帯地９と同一色にすることにより、リブ部８を違和感なく形成することができる。
【００２３】
表皮地２７の表面には、夜間において車両の光を反射する反射素材や蛍光塗料などからなる反射素材（図示せず）を設けることにより、該反射素材が車両のライトに反射して運転者に注意を喚起することができるので学童の安全を図ることができる。特に冬季などは早く日が暮れるので下校時における児童の安全を図ることができる。
【００２４】
図８に示すごとく、保護部片４０は、背板３の下辺部及びその両端に連続した立上部に位置したリブ部８と相似形で両側立ち上がり部分を長尺に形成し、リブ部８の下辺部と両側の立上部の全体を覆うように取付けることにより、リブ部８全体を補強してランドセルを長持ちさせることができる。
【００２５】
以下、本考案の実施形態の作用について説明すると、保護部片２０は可撓性を有する軟質合成樹脂材により形成した補強芯材２１の外周面全体に、天然皮革または人工皮革などにより形成した表皮地２７を接着して一体に形成してある。したがって、保護部片２０は定型性と柔軟性を有しているため、背板３のリブ部８に装着させる場合、前記保護部片２０に設けた下辺部２２の溝部２４を背板３のリブ部８に合致させて、立上部２３、２３を該下辺部の両端に連続する立上部２３、２３に押し込みながら上方に押し上げると、溝部２４の両側がやや開いてリブ部８を内部に挿入させて嵌合させる。
【００２６】
背板３のリブ部８に嵌合させる断面Ｕ字型をした保護部片２０は、手を離しても可撓性を有する溝部２４の弾発力によってリブ部８を挟持するため、リブ部８と保護部片２０との間に接着剤を塗布することなく縫着作業を行う間、脱落を防止することができる。
【００２７】
この保護部片２０を構成する補強芯材２１は、図７に示すごとく、第2の溝部２５の両側を内側に湾曲させて可撓性と弾発力を持たせることにより、保護部片２０をリブ部８に嵌合させたとき前記溝部２５の保持力を強固にできるため、その後の縫製作業において、保護部片２０がリブ部８からずれたり外れたりすることを防止でき、途中で中断することなく保護部片２０をリブ部８に縫着固定するための縫製作業を連続して行うことができ、作業能率を一段と向上させることができる。
【００２８】
このリブ部８に嵌合させた保護部片２０とリブ部８とを一体に縫着するだけで簡単に固定することができる。したがって従来の縫着作業のように、リブ部の両面に接着剤を塗布し、該リブ部に縁帯地をＵ字形に折り曲げて圧着させながら接着すると共に、コーナー部分は折れしわを始末しながら接着し、次いで、リブ部と一体に縫着するなどの手間ひまがかかる熟練を要する作業を無くして作業効率の向上を図ることができ、また、作業に熟練した技術を必要としないため部品の歩留まりが良くなり経済的である。
【００２９】
特に、リブ部８のコーナー部分は、縁帯地９の折りしわと保護部片２０とが重なるが、縁帯地９の折りしわの表面に補強芯材２１の内側面が当接して凹凸を吸収して略平坦に形成したり、また、保護部片２０の表皮地２７にできたコーナー部分の折りしわを目立たなく仕上げることができる。
【００３０】
図８に示すごとく、リブ部８の略全体に装着した保護部片４０は、リブ部８を縁帯地９と、合成樹脂製の補強芯材および皮製の表皮地との三重に覆って縫着固定することにより、リブ部８が擦り切れたり、剥がれたりすることなく強度性と耐久性を向上させることによりランドセルを長期間使用することができる利点を有する。
【図面の簡単な説明】
【００３１】
【図１】本考案にかかる保護部片を取付けたランドセルの斜視図である。
【図２】図１のＡ―Ａ線拡大断面図である。
【図３】保護部片を縫着したリブ部の拡大断面図である。
【図４】保護部片の分解斜視図である。
【図５】型枠の斜視図である。
【図６】保護部片の中央縦断面図である。
【図７】溝部両側を湾曲させた保護部片の中央縦断面図である。
【図８】背板のリブ部全体に保護部片を取付けた状態の正面図である。
【符号の説明】
【００３２】
１    ランドセル
２    ランドセル本体
３    背板
８    リブ部
９    縁帯地
１１  大リブ部
１２  小リブ部
１３  蓋板
１５  背環
１６  肩ベルト
２０  保護部片
２１  補強芯材
２４  溝部
２５  第2の溝部
２７  表皮地
２８  糊代部
【図１】
0003144066.tif 000003
【図２】
0003144066.tif 000004
【図３】
0003144066.tif 000005
【図４】
0003144066.tif 000006
【図５】
0003144066.tif 000007
【図６】
0003144066.tif 000008
【図７】
0003144066.tif 000009
【図８】
0003144066.tif 000010